(57)【要約】【課題】身体障害者、老人、病人、又は幼児などの食事の際に、介護人が不在でも、飲食物による着衣や寝具の汚れを防止可能な飲食物散乱防止用具を提供する。【解決手段】  散乱防止用具１０は、装着者首部に着脱自在に固定して胸部前方に垂れ下げた状態で使用することができ、装着者の一方の耳朶の裏側付近から喉部付近を経由してもう一方の耳朶の裏側付近に至るまで装着者首部の表面に連続的に密着接触可能な、大略Ｕ字型の密着固定部１と、大略Ｕ字型密着固定部のＵ字底面領域に連続して設けられ、装着者が装着した場合に首部から胸部方向に延びて胸部前方に位置し、両側に突出部を有する飲食物案内部２と、飲食物案内部に連続して、密着固定部とは反対側方向に設けられ、上方から降下する飲食物を受領可能な受皿部３、及び密着固定部に着脱自在又は固定して設けられ、装着者に固定可能な固定具４を含む。【選択図】図１
2005036365.tif 000002
【特許請求の範囲】
【請求項１】
装着者の首部に着脱自在に固定して装着者の胸部前方に垂れ下げた状態で使用することができる、飲食物の散乱防止用具であって、
（１）装着者の一方の耳の耳朶の裏側付近から喉部付近を経由してもう一方の耳の耳朶の裏側付近に至るまで、装着者の首部の表面に連続的に密着接触可能な、大略Ｕ字型の密着固定部と、
（２）前記の大略Ｕ字型密着固定部のＵ字底面領域に連続して設けられ、装着者が装着した場合に首部から胸部方向に延びて胸部前方に位置し、両側に突出部を有する飲食物案内部と、
（３）前記の飲食物案内部に連続して、前記の密着固定部とは反対側方向に設けられ、上方から降下する飲食物を受領可能な受皿部、及び
（４）前記の密着固定部に着脱自在又は固定して設けられ、装着者に固定可能な固定具
を含むことを特徴とする、飲食物の散乱防止用具。
【請求項２】
少なくとも前記の大略Ｕ字型密着固定部が可撓性材料から構成される、請求項１に記載の散乱防止用具。
【請求項３】
密着固定部と、飲食物案内部と、受皿部とが可撓性材料から構成される、請求項２に記載の散乱防止用具。
【請求項４】
前記の大略Ｕ字型密着固定部の両側部に隣接して、装着者側から外側に延びて設けられた散乱防止部を有する、請求項１〜３のいずれか一項に記載の散乱防止用具。
【請求項５】
前記の受皿部の下方にスライド防止部を有する、請求項１〜４のいずれか一項に記載の散乱防止用具。
【請求項６】
前記の受皿部の下方に高さ調整具を有する、請求項１〜５のいずれか一項に記載の散乱防止用具。
【発明の詳細な説明】
【技術分野】
【０００１】
本発明は、飲食物の散乱防止用具に関する。本発明の散乱防止用具は、特には、介護が必要な身体障害者、老人、病人、あるいは幼児などが食事を取る際に首に固定して使用することにより、飲食物による着衣や寝具の汚れを防止することができる。
【背景技術】
【０００２】
身体障害者、老人、あるいは病人などが自分自身で食事を取る際には、食器から飲食物を口に運ぶ際に飲食物をこぼしたり、口に含んだ飲食物が口からこぼれることが起きやすいので、自分の着衣を汚すことがある。また、ベッドなどの寝具上で上半身のみを起こし、ベッド上に広げた食事用台に食器を置いて食事を取る際には、着衣のみでなく、寝具まで汚してしまうことがある。
このような着衣や寝具の汚れを防止する手段としては、従来からエプロン型の防止用具が種々提案されている。例えば、上端取付け位置を咽喉部とし、下端位置を装着者の腰部に達するよう設定し、飲食時には下端部分を体前方に繰出すことが可能な飲食汚損防止器具が知られている（特許文献１）。しかしながら、この飲食汚損防止器具では、布帛シート状のエプロンを上端取付け位置で着衣に固着させるか、紐を用いて体の裏側で縛る程度のことしか想定していない。従って、この飲食汚損防止器具を装着した装着者が、ベッドなどの寝具上で上半身のみを起こし、ベッド上に広げた食事用台に食器を置いて、自分自身で食事を取ると、例えば、上半身を左右に若干動かしただけで、エプロン部の両脇から飲食物が落下して寝具を汚すことになる。また、装着者が顔を若干傾けながら、口から飲食物をこぼした場合には、この飲食汚損防止器具では、寝具の汚れを防止することができない。一般に、リハビリ過程の病人の場合には、病人が自分自身で食事を取る動作を実行することが重要であるため、介護人は、緩慢な動作の病人の食事の際に、最初から最後まで付き添うことが求められ、介護人の負担を増加させていた。
【０００３】
エプロン型防止用具のその他の例としては、エプロンを装着者に取り付けるための装着部と、布帛シート様の汚れ防止用保護部と、食卓上に配置する食器載置面と、この食器載置面が前記食卓上を容易に移動しないための滑り止め面が、前記食器載置面の裏面に設けられている食事用エプロンが知られている（特許文献２）。しかしながら、この食事用エプロンは、主に乳幼児を対象としており、装着者の首周りの大きさに相当する略円形開口部を装着部に備えているだけである。従って、前記の飲食汚損防止器具と同様の欠点を有している。すなわち、装着者が、ベッドなどの寝具上で上半身のみを起こし、ベッド上の食事用台の食器から自分自身で食事を取ると、上半身を左右に若干動かしただけで、汚れ防止用保護部の両脇から飲食物が落下して寝具を汚すことになり、装着者が顔を若干傾けながら、口から飲食物をこぼした場合には、寝具の汚れを防止することができない。
【０００４】
更に、エプロン型防止用具の例としては、布帛シート状のエプロン本体の胸元中央の上端より縦方向に開口部を設け、左右を面状ファスナーからなる留め具で着脱自在にし、両肩には首かけ紐の伸縮バンドを設けた被介護者用食事エプロンが知られている（特許文献３）。しかしながら、この被介護者用食事エプロンは、手の不自由な人が食事の際、人手を借りず自分一人で掛けられる様にするために、エプロンを前開きにして、両側開口部を開閉自在とし、首かけ紐には伸縮性バンドのゴムを使用し、着脱時の伸縮を自在にして、食べこぼしを受け止めるポケットを取り付けたエプロンであり、首かけ紐によって装着者にぶら下げるだけであるため、前記の各エプロン型防止用具と同様に、装着者がベッドなどの寝具上で、ベッド上の食事用台の食器から食事を取ると、上半身を左右に若干動かしただけでエプロン本体の両脇から飲食物が落下し、装着者が顔を若干傾けながら口から飲食物をこぼした場合には、寝具の汚れを防止することができない。更に、エプロンの中央部に縦方向に開閉自在開口部が設けられているので、その隙間から飲料が漏れるおそれがある。
【０００５】
エプロンと食器盆とを組み合わせたエプロン式食器盆装置も知られている（特許文献４）。しかしながら、このエプロン式食器盆装置においても、プラスチック製又は板材製のエプロンがあごの下まで延びている程度であり、首に固定されていないので、装着者が左右に動くと、装着者のあごがエプロンからはずれてしまうこともある。また、食器盆部分が食器台の上に載置され、その食器盆部分とエプロンとが連結しているため、装着者の上半身の動きが制限され、使用感が良くないという欠点がある。
【０００６】
更に、装着者の首の前方に円弧状の取付部を肩とほぼ並行に形成する介護用食べこぼし受け具も知られている（特許文献５）。この介護用食べこぼし受け具は、大略Ｕ字形の取付部の両先端を装着者の首の後方で巻き付けることにより、前記のように首の前方に円弧状取付部を形成させ、その円弧状取付部の下方に、防水性素材からなる受け具を有しているので、飲食物が口からこぼれ出ても着衣や寝具を汚すことが防止される。しかしながら、この介護用食べこぼし受け具の場合も、大略Ｕ字形の取付部の両先端を装着者の首の後方で巻き付けるだけであるため、装着者が、ベッドなどの寝具上で上半身のみを起こして食事を取っている際に、上半身を傾けたり、顔を傾けた際に口から飲食物をこぼした場合には、円弧状の取付部の内部に飲食物が受け取られないことがあり、寝具の汚れを防止することができない。また、装着者の首の前方に円弧状の取付部が大きく広がるために、装着者の視界が遮られ、装着者が自分自身で食事をとる場合は、手元が見えにくいという問題がある。更に、飲食物を箸やスプーン等で食器から口に運ぶ際の障害にもなるので、特にリハビリ中の患者用としては不適切である。
【０００７】
【特許文献１】特開平２００３−１９０６６号公報
【特許文献２】特開平２００１−３１６９１８号公報
【特許文献３】特開２００１−３３６００４号公報
【特許文献４】特開平８−６８０号公報
【特許文献５】登録実用新案第３０７８５７０号公報
【発明の開示】
【発明が解決しようとする課題】
【０００８】
従来のエプロン型防止用具は、その装着者が、口に飲食物を運ぶ際に食べこぼしをしたり、口から飲食物をこぼしたりすることは想定しているものの、比較的おとなしい姿勢で食事を取り続けるものと想定している。例えば、ベッドの上で上半身だけを起こした状態で、ベッド上に広げた食事用台などを利用して、自分自身で飲食物を食器から口へ運んで食事を取る場合でも、装着者が上半身や顔を前後左右にほとんど傾けない姿勢を維持したままで、おとなしく食事を続けることを想定している。しかしながら、介護が必要な身体障害者、老人、または病人などの中では、そのようにおとなしい姿勢を維持しながら食事をとることが可能な人は、むしろ例外的である。
【０００９】
例えば、リハビリ過程の病人が、ベッドの上で上半身だけを起こした状態で、ベッド上に広げた食事用台などを利用して、自分自身で飲食物を食器から口へ運んで食事を取る場合には、健常人よりも食事時間が長くかかることや、上半身を支える力が弱いため、上半身が前後左右に大きく傾くことがあり、顔も前後左右に大きく傾くことがある。そのような場合にも、飲食物を口へ運ぶ際の食べこぼしや、口から飲食物をこぼすことは起こり得るので、従来のエプロン型防止用具では飲食物がこぼれてしまい、着衣や寝具を汚す問題点がある。特に、上半身や顔が左右に傾くと、従来のエプロン型防止用具では、着衣や寝具が汚れることを防止することはほとんど不可能である。
【００１０】
本発明者は、装着者がベッドなどの上で上半身だけを起こした状態で、自分自身で飲食物を食器から口へ運んで食事を取る際に、たとえ上半身や顔が左右に比較的大きく傾いた場合でも、着衣や寝具を汚れから防止可能な散乱防止用具を鋭意開発していたところ、従来型のエプロン型防止用具は、首への固定部分で、エプロン部分を単に首に巻くだけであるために、飲食物の散乱防止効果が不充分であることを見出した。
また、本発明者は、装着者の一方の耳の耳朶の裏側付近からから喉部付近を経由してもう一方の耳の耳朶の裏側付近に至るまで、装着者の首部の表面に連続的に密着接触可能な密着固定部によって散乱防止用具の上部を装着者に固定させることにより、装着者がたとえ上半身や顔を左右に比較的大きく傾けた場合でも、飲食物からの防止効果を充分に得ることができることを見出した。
本発明は、こうした知見に基づくものである。
【課題を解決するための手段】
【００１１】
従って、本発明は、装着者の首部に着脱自在に固定して装着者の胸部前方に垂れ下げた状態で使用することができる、飲食物の散乱防止用具であって、
（１）装着者の一方の耳の耳朶の裏側付近から喉部付近を経由してもう一方の耳の耳朶の裏側付近に至るまで、装着者の首部の表面に連続的に密着接触可能な、大略Ｕ字型の密着固定部と、
（２）前記の大略Ｕ字型密着固定部のＵ字底面領域に連続して設けられ、装着者が装着した場合に首部から胸部方向に延びて胸部前方に位置し、両側に突出部を有する飲食物案内部と、
（３）前記の飲食物案内部に連続して、前記の密着固定部とは反対側方向に設けられ、上方から降下する飲食物を受領可能な受皿部、及び
（４）前記の密着固定部に着脱自在又は固定して設けられ、装着者に固定可能な固定具
を含むことを特徴とする、飲食物の散乱防止用具に関する。
【００１２】
本発明の好ましい態様においては、少なくとも前記の大略Ｕ字型密着固定部が可撓性材料から構成され、更に好ましい態様においては、密着固定部と、飲食物案内部と、受皿部とが可撓性材料から構成される。
また、本発明の別の好ましい態様においては、前記の大略Ｕ字型密着固定部の両側部に隣接して、装着者側から外側に延びて設けられた散乱防止部を有する。
更に、本発明の別の好ましい態様においては、前記の受皿部の下方にスライド防止部を有する。
更にまた、本発明の別の好ましい態様においては、前記の受皿部の下方に高さ調整具を有する。
【発明の効果】
【００１３】
本発明の飲食物散乱防止用具を利用すれば、介護が必要な身体障害者、老人、病人、あるいは幼児などが食事を取る際に、介護人の付き添いがなくても、飲食物による着衣や寝具の汚れを防止することができる。
例えば、本発明による飲食物散乱防止用具の装着者が、ベッドなどの上で上半身だけを起こした状態で、自分自身で飲食物を口へ運んで食事を取る際に食べこぼしや、口から飲食物をこぼし、更に上半身や顔を左右に比較的大きく傾けた場合でも、それらのこぼれた飲食物を散乱防止用具内で受け止め、着衣や寝具の汚れを防止することができる。
【発明を実施するための最良の形態】
【００１４】
本発明による飲食物散乱防止用具の代表的態様を、添付図面に沿って説明する。
図１（斜視図）及び図２（背面図）に示す本発明の散乱防止用具１０は、大略Ｕ字型の密着固定部１と、飲食物案内部２と、受皿部３と、固定具４とを備え、スライド防止部５を有することができる。図３は、この散乱防止用具１０から、着脱自在な固定具４を取り去った状態の正面図であり、図４は、そのＩＶ−ＩＶ線断面図である。
【００１５】
図１〜図４に示す態様の散乱防止用具１０において、大略Ｕ字型の密着固定部１は、Ｕ字の両側部に相当する角部（ツノ部）１１ａ，１１ｂと、Ｕ字の底面領域に相当する根本部（ネモト部）１２とを含み、Ｕ字の内側に相当する装着者の首と密着接触可能な密着部１３を有する。密着固定部１は、可撓性材料から構成されることが好ましく、特に、角部１１ａ，１１ｂは、装着者の首の形状に沿って曲げたりすることにより、変形可能である。角部１１ａ，１１ｂには、その横方向に１又はそれ以上の溝を設けて屈曲を容易にさせることができる。密着部１３は、装着者の皮膚と接触するので、保護テープ１４を備えているのが好ましい。
【００１６】
角部１１ａ，１１ｂの先端には、図１及び図２に示すように、装着者に大略Ｕ字型密着固定部１を固定するための固定具４が着脱自在に取り付けてある。固定具４は、例えば、面ファスナー又はシート状磁石によって角部１１ａ，１１ｂの先端に着脱自在に取り付けることができる。固定具４と、大略Ｕ字型密着固定部１の密着部１３とによって大略円形の開口部が形成され、その開口部によって、装着者の首周りに、本発明の散乱防止用具１０を固定することができる。固定具４は、例えば、面ファスナーとの連結位置を調整することにより、前記の開口部の大きさを調整することができる。また、固定具４は、例えば、ゴムバンドなどの伸縮性材料からなることが好ましく、その伸縮性を利用して、装着者の首の後部で大略Ｕ字型密着固定部１を密着状態で固定させることができる。なお、例えば、伸縮性材料からなる固定具は、その一方の端部又は両方の端部を角部１１ａ，１１ｂの先端に固着させて、取り付けておくこともできる。
【００１７】
本発明の散乱防止用具１０は、大略Ｕ字型の密着固定部１の根本部１２に連続して設けられる飲食物案内部２を有する。飲食物案内部２は、案内板部２１と、その両側に設けた突出側部２２ａ，２２ｂを有し、案内板部２１と、突出側部２２ａ，２２ｂとにより、湾曲面が形成される。また、本発明の散乱防止用具１０は、更に、前記の飲食物案内部２に連続して、前記の密着固定部１とは反対側方向に、受皿部３を備えている。受皿部３は、大略円形の底面部３１と、側壁部３２とを含む。すなわち、本発明の散乱防止用具１０は、飲食物案内部２と受皿部３とを併せた全体のおおよその形状が、有底の円筒体から、上部及び中間部壁面のほぼ半分を取り除き、更に底部を容器状に残した形状を有する。
なお、突出側部２２ａ，２２ｂや受皿部３などの縁部は、装着者が食事を取る際に接触することがあるので、保護テープ１４を備えているのが好ましい。
【００１８】
本発明の散乱防止用具は、図１〜図４に示すように、大略Ｕ字型の密着固定部１と、飲食物案内部２と、受皿部３とを一体構造とすることができるだけでなく、大略Ｕ字型の密着固定部と、飲食物案内部と、受皿部とを２以上の部品から構成することもできる。
【００１９】
図５は、図１〜図４に示す態様の本発明による散乱防止用具１０を、装着者Ｈに装着した状態を示す斜視図である。図１〜図４に示す態様の本発明による散乱防止用具１０を、装着者Ｈに装着すると、散乱防止用具１０は、全体的には、装着者Ｈの胸部前方に垂れ下げた状態となり、飲食物案内部２は、首部から胸部方向に延びて胸部前方に位置することになる。
【００２０】
その散乱防止用具１０における大略Ｕ字型の密着固定部１の密着部１３が、装着者Ｈの首部と接する位置を、図６の破線Ａに示す。図５及び図６に示すように、大略Ｕ字型密着固定部１の角部１１ａ，１１ｂは、それぞれ、装着者の両耳の耳朶の裏側付近（顔と首との境界部）で装着者Ｈの首部と接触する。また、大略Ｕ字型密着固定部１の根本部１２は、咽喉部付近（首と胴体との境界部、ないし首と顔との境界部）で装着者Ｈの首部と接触する。更に、固定具４は、装着者の首部の後ろ側で散乱防止用具１０を固定する。なお、大略Ｕ字型密着固定部１の根本部１２は、首と胴体との境界部で装着者Ｈの首部と接触するのが好ましい。
【００２１】
本発明による散乱防止用具は、例えば、図５に示す態様で使用することが可能である限り、その使用方法は限定されるものではなく、例えば、図１〜図４に示す態様の本発明による散乱防止用具１０は、図７に示すように、大略Ｕ字型密着固定部１と固定具４とで、装着者Ｈの首部に巻き付けるように装着することもできる。この装着方法において、大略Ｕ字型の密着固定部１の密着部１３が装着者Ｈの首部と接する位置を、図６の破線Ｂに示す。
【００２２】
本発明による散乱防止用具を、例えば、図５に示す態様で使用すると、散乱防止用具１０が、大略Ｕ字型密着固定部１と固定具４とで装着者Ｈの首に固定されるので、装着者Ｈが、顔を水平方向に左右に回転させても、その回転に伴って散乱防止用具１０も回転するので、装着者Ｈの口の正面前方に散乱防止用具１０が位置することになり、飲食物の散乱を有効に防止することができる。この効果は、図７に示す態様で散乱防止用具１０を使用する場合にも、ほぼ同様に得ることができる。
【００２３】
本発明による散乱防止用具１０を、例えば、図５又は図７に示すように装着して、底部に設けたスライド防止部５を介して食事用台Ｔに載せると、食事用台Ｔの上でのスライドを抑制することができる。また、前記の受皿部３の底面部３１に、高さ調整具（図示せず）を設けて、食事用台Ｔとの距離を調整することもできる。
【００２４】
本発明による散乱防止用具１０を、例えば、図５又は図７に示すように装着して、装着者Ｈがベッドなどの上で上半身だけを起こした状態で、自分自身で飲食物を口へ運んで食事を取ると、その際に口からの食べこぼしが起きても、首部が大略Ｕ字型密着固定部１の密着部１３によって密着しているので、散乱防止用具１０の飲食物案内部２から受皿部３に導かれ、外側に漏れることがない。また、食べこぼした飲食物は、受皿部３に導かれるため、装着者Ｈが自分自身で飲食物を再び口へ運ぶことができる。更に、受皿部３の内部に食器を入れることができるので、装着者Ｈが、その食器から自分自身で飲食物を口へ運んで食事を取る際の動作が妨害されることもない。また更に、受皿部３の内部に食器を入れる場合には、飲食物案内部２と食器とが接触する部分にわずかな隙間を生じる。したがって、口からの食べこぼしで落下した飲食物のうち、水分等は隙間を通過して受皿部３に導かれ、固形物のみを前記食器に導くことができるので、前記食器の内容物が水分過多になることを防止することができる。
また、本発明による散乱防止用具１０は、装着者が手で食器を固定する必要がないので、装着者の片方の手が不自由な場合においても、もう片方の自由に使える手のみで食事を取ることができる。
【００２５】
本発明による散乱防止用具１０は、図８に示すように、その大略Ｕ字型密着固定部１の角部１１ａ，１１ｂの一方又は両方に、その外側に突出する散乱防止部１５を設けることができる。前記の散乱防止部１５は、口からの食べこぼしが起きた場合に、散乱防止用具１０の外側への散乱又は漏出を、更に効果的に防止することができる。
【００２６】
本発明による散乱防止用具において、飲食物案内部及び受皿部の断面形状は、図４に示す半円形及び円形に限定されない。その他の態様を、図４と同様の断面図によって、図９（ａ）〜（ｄ）及び図１０（ｅ）〜（ｈ）に示す。図９（ａ）は、断面がコの字型の飲食物案内部２と、直方体型の受皿部３との組み合わせからなる散乱防止用具１０を示し、図９（ｂ）は、六角形型受皿部３と、突出側部２２ａ，２２ｂが外側方向に開いた形状の飲食物案内部２との組み合わせからなる散乱防止用具１０を示す。図９（ｃ）及び図９（ｄ）は、いずれも、三角形型受皿部３と、三角形の一部の辺からなる断面形状の飲食物案内部２との組み合わせからなる散乱防止用具１０を示す。
【００２７】
図１０（ｅ）及び図１０（ｆ）は、いずれも、台形型受皿部３と、台形の一部の辺からなる断面形状の飲食物案内部２との組み合わせからなる散乱防止用具１０を示す。図１０（ｇ）は、楕円形型受皿部３と、半楕円形断面形状の飲食物案内部２との組み合わせからなる散乱防止用具１０を示し、図１０（ｈ）は、半楕円形断面形状の飲食物案内部２においける案内板部２１を装着者の胸部の形状に合わせて湾曲板状部２３とした散乱防止用具１０を示す。
【００２８】
本発明の散乱防止用具は、前記の通り、少なくとも  密着固定部が可撓性材料から構成されることが好ましく、密着固定部と飲食物案内部と受皿部とが一体的に可撓性材料から構成されるのがより好ましい。可撓性材料としては、保形性を有する合成樹脂、例えば、ポリエチレンテレフタレート系樹脂、ポリプロピレン系樹脂、又はポリ塩化ビニル系樹脂を挙げることができる。また、本発明の散乱防止用具は、特に受皿部が透明であることが好ましい。
【産業上の利用可能性】
【００２９】
本発明の飲食物散乱防止用具は、前記の通り、介護が必要な身体障害者、老人、又は病人の介護用具として有用であり、介護人の付き添いの負担を軽減することができる。また、幼児などの食事補助用具として使用することもできる。
【図面の簡単な説明】
【００３０】
【図１】本発明による飲食物散乱防止用具の一態様を模式的に示す斜視図である。
【図２】図１の飲食物散乱防止用具の背面図である。
【図３】図１の飲食物散乱防止用具の正面図である。
【図４】図３のＩＶ−ＩＶ線模式的断面図である。
【図５】図１の飲食物散乱防止用具を装着した状態を示す模式的斜視図である。
【図６】図１の飲食物散乱防止用具の２つの異なる装着位置を示す模式的説明図である。
【図７】図１の飲食物散乱防止用具を別の装着位置で装着した状態を示す模式的斜視図である。
【図８】本発明による飲食物散乱防止用具の別の態様を装着した状態を示す模式的斜視図である。
【図９】本発明による飲食物散乱防止用具の更に別の態様を示す模式的断面図である。
【図１０】本発明による飲食物散乱防止用具のまた更に別の態様を示す模式的断面図である。
【符号の説明】
【００３１】
１・・・密着固定部；２・・・飲食物案内部；３・・・受皿部；４・・・固定具；
５・・・スライド防止部；１０・・・散乱防止用具；１１ａ，１１ｂ・・・角部；
１２・・・根本部；１３・・・密着部；１４・・・保護テープ；１５・・・散乱防止部；
２１・・・案内板部；２２ａ，２２ｂ・・・突出側部；２３・・・湾曲板状部；
３１・・・底面部；３２・・・側壁部；Ａ，Ｂ・・・装着位置；
Ｈ・・・装着者；Ｔ・・・食事用台。
【図１】
2005036365.tif 000003
【図２】
2005036365.tif 000004
【図３】
2005036365.tif 000005
【図４】
2005036365.tif 000006
【図５】
2005036365.tif 000007
【図６】
2005036365.tif 000008
【図７】
2005036365.tif 000009
【図８】
2005036365.tif 000010
【図９】
2005036365.tif 000011
【図１０】
2005036365.tif 000012